(57)【要約】本発明は、ワイヤレス・マイクロホン・システムに関する。本発明の目的は、このようなワイヤレス・マイクロホン・システムを更に発展させることである。本発明の別の目的は、より多くの送信機を同じ周波数帯で使用できるように、ＨＦ送信機間の相互変調距離を改良することである。ワイヤレス・マイクロホン・システムは、サーキュレータ及び／又はＨＦアイソレータが接続されたアンテナを備え、該アンテナはワイヤレス・マイクロホン・システムに接続されている。
2006522516.tif 000002
【特許請求の範囲】
【請求項１】
サーキュレータ及び／又はＨＦアイソレータが接続されたアンテナを備えて、該アンテナに接続されたワイヤレス・マイクロホン・システム。
【請求項２】
ハンド送信機マイクロホン又はポケット送信機マイクロホンと（ダイバーシチ）受信機を備える請求項１にワイヤレス・マイクロホン・システム。
【請求項３】
サーキュレータ／ＨＦアイソレータが、差込み自在又はねじ込み自在のアンテナに組込まれ、又、サーキュレータ／ＨＦアイソレータとアンテナが機械的ユニットを形成する請求項１に記載のワイヤレス・マイクロホン・システム。
【請求項４】
サーキュレータ／ＨＦアイソレータを設けたアンテナが、マイクロホンの送信機に差込み接続されていると共に、アンテナ、サーキュレータ／ＨＦアイソレータとプラグ装置が機械的ユニットを形成する請求項２に記載のポケット送信機マイクロホン。
【請求項５】
サーキュレータ／ＨＦアイソレータに機械的に固定接続されたアンテナが、共通ハウジング内に配置されていると共に、ユニットとして交換自在である請求項２に記載のハンド送信機マイクロホン。
【請求項６】
差込み自在又は交換自在のアンテナ−サーキュレータ／ＨＦアイソレータ・ユニットが
所定の周波数に同調される請求項１乃至５のいずれかに記載のマイクロホン。
【請求項７】
受信装置が、高周波入力においてサーキュレータ／ＨＦアイソレータを有するワイヤレス・マイクロホン装置。
【請求項８】
受信アンテナが、サーキュレータ／ＨＦアイソレータに固定接続された請求項７に記載のワイヤレス・マイクロホン・システム。
【請求項９】
サーキュレータ／ＨＦアイソレータを有する受信アンテナが、共通ハウジング内に少なくとも部分的に配置されている請求項７に記載のワイヤレス・マイクロホン・システム。
【請求項１０】
本体に支承された受信機が、差込み自在又は又は交換自在のアンテナ−サーキュレータ／ＨＦアイソレータ・ユニットを備える請求項７又は８に記載のワイヤレス・マイクロホン・システム。
【請求項１１】
アンテナ−サーキュレータ／ＨＦアイソレータ・ユニットが所定の周波数範囲に同調される請求項７乃至１０のいずれかに記載のワイヤレス・マイクロホン・システム。
【請求項１２】
サーキュレータ及び／又はＨＦアイソレータに組込まれた又は接続された請求項１乃至１１のいずれかのアンテナを備えて、該アンテナに接続されたＨＦ送信機。
【請求項１３】
アンテナが、所定の周波数範囲に関する可視識別部、符号、色標識等を外部に含む請求項１乃至１２のいずれかに記載のＨＦ送信機又はＨＦシステム。
【発明の詳細な説明】
【技術分野】
【０００１】
本発明は、ワイヤレス・マイクロホン・システムに関する。
【背景技術】
【０００２】
このようなワイヤレス・マイクロホンは、既に多くの方法で使用されている。その点について、米国レクトロソニックス（Lectrosonics）社のカタログ：「ＵＨＦワイヤレス・マイクロホン・カタログ０３／０３」第４頁と、米国特許第４，４３０，６１９号及び独国特許出願公開第２２２６５１５号に注意をすべきである。
【発明の開示】
【発明が解決しようとする課題】
【０００３】
本発明の目的は、このようなワイヤレス・マイクロホン・システムを更に発展させることである。本発明の別の目的は、より多くの送信機を同じ周波数帯で使用できるように、ＨＦ送信機間の相互変調距離を改良することである。
【０００４】
本発明は、ワイヤレス・マイクロホン・システムだけに制限されるものではなく、着脱式アンテナを有する全てのＨＦ送信機を含む。
これに関して、ＨＦサーキュレータ、アイソレータ又はフィルタが、周波数の変更時に適当に交換しなければならないＨＦ送信機又はワイヤレス・マイクロホンに固定設置されることは既に公知であることを指摘しなければならない。その交換作業は、非常に複雑で高価であると共に、困難な技術的問題をしばしば生じる。
【課題を解決するための手段】
【０００５】
本発明によれば、上記目的は、請求項１の特徴を有するワイヤレス・マイクロホン・システムによって達成される。好都合な発展は、従属請求項に記載されている。
【０００６】
本発明にかかるワイヤレス・マイクロホン・システムのアンテナは、ワイヤレス・マイクロホン・システムと固定連係するサーキュレータ／ＨＦアイソレータを有するか、又は、このようなサーキュレータ／ＨＦアイソレータに接続され、更に、サーキュレータ／ＨＦアイソレータは、次に、夫々、送信装置又は受信装置内に配置され得る。もしアンテナが送信装置又は受信装置に差込み自在に装着でき、又、サーキュレータ／ＨＦアイソレータがアンテナに組込まれていれば、特別な利点が得られる。特にその場合、アンテナ全体が、所望範囲に予備同調されると共に、後でもう一度別に調整する必要がない。もし、例えば、ハンドヘルド・ワイヤレス・マイクロホン（ハンド送信機）において組込まれたアンテナの場合に、アンテナが、サーキュレータ／ＨＦアイソレータに電気的及び機械的に接続されたり、アンテナ−サーキュレータ／ＨＦアイソレータ・ユニットが完全な構造群として交換できるならば好都合である。
【０００７】
サーキュレータ／ＨＦアイソレータは、通常、送信方向又は受信方向に低レベルの送信減衰と、送信方向又は受信方向と逆方向に高レベルの阻止減衰を有する。サーキュレータ／ＨＦアイソレータの入力におけるインピーダンスは、一定であると共に、後続の部品のインピーダンスから独立している。このように、送信装置の場合、送信増幅器が一定動作範囲内で動作し得ることが確実となる。よって、例えば、アンテナの接触、即ち、アンテナの離調により、送信増幅器又は送信装置全体への低レベルのフィードバックに帰着する。サーキュレータ／ＨＦアイソレータによる送信増幅器からのアンテナの減結合の根本的な利点は、２個の近傍の送信機が互いに僅かにしか影響し合わず、その送信機間の相互変調が大幅に低減されることである。そのようにして、複数の送信機マイクロホンは、より狭い周波数範囲内で混信無しに協働し得る。周波数経済性が改良される。逆の場合、同一の技術的性質（相互変調積）で、送信機が動作する同調範囲を増加することができる。
【０００８】
アンテナとサーキュレータ／ＨＦアイソレータの差込み自在／交換自在の機械的ユニットについての本発明の解決は、動作周波数範囲に割当てられた最適アンテナ組合せを各ワイヤレス・マイクロホンと連係させることを可能にする。それは、新たに設置されたワイヤレス・マイクロホン装置だけでなく、特に、既に操作されているシステムにも適用される。操作されているワイヤレス・マイクロホン・システムをレトロフィットすることにより、同一装置内で操作される近傍チャネル送信装置による混信を顕著に低減することができる。追加のワイヤレス・マイクロホン同じ周波数範囲で操作させることができ、その結果、周波数経済性がかなり増加する。これは、特に、例えば、演劇／ミュージカルの舞台上のように多くのマイクロホンを有するワイヤレス・マイクロホン・システムの場合に特に重要である。
【０００９】
異なる方向特性、例えば、直線偏波又は円形偏波を有するアンテナをワイヤレス・マイクロホンの所定送信増幅器において操作すべき場合、サーキュレータの使用は重要である。サーキュレータ／ＨＦアイソレータは、又、送信増幅器からの高程度の減結合をもたらすことにより、最適動作範囲を供給する。アンテナとサーキュレータ／ＨＦアイソレータの機械的ユニットについての本発明の解決は、両部品の最適整合をもたらす。生産において又は後でユーザにおいて、周波数範囲及び／又はアンテナ特性は、差込み自在／交換自在のアンテナ−サーキュレータ／ＨＦアイソレータ・ユニットにより容易に且つ問題なしに適応させることができる。
【００１０】
ハンドヘルド送信機マイクロホン（ハンド送信機）には２個の構造、即ち、固定接続された又は差込まれたアンテナを有するハンド送信機と、ハウジングに組込まれたアンテナを有する設計とがある。差込み自在のアンテナには、上記のポケット送信機と同じことが当てはまる。ハウジングに組込まれたアンテナを有するハンド・マイクロホンに対しては、適当な設計構造は、アンテナとサーキュレータ／ＨＦアイソレータが別個の共同ハウジング内に機械的に共同で配置されるものである。
【００１１】
上記説明は、ワイヤレス・マイクロホン・システムに必要な受信機にも大略当てはまる。この場合、受信機感度レベル又は（受信機）相互変調距離は、サーキュレータ／ＨＦアイソレータを受信機の高周波分岐に組込むことによって改良することができる。この場合、サーキュレータ／ＨＦアイソレータを送信機出力に利用することに基づくより多くの送信機の上記操作に適当な既存の周波数範囲でより多くの受信機を操作することができる。この場合も、周波数経済性を改良することができる。
【００１２】
一方、受信機の高周波分岐にサーキュレータ／ＨＦアイソレータに使用することにより、受信機の（同調可能な）受信周波数帯幅を十分に大きくすることができる。それにより、使用者は、使用場所で利用できる周波数に迅速に適合させることができる。
【００１３】
（受信）アンテナ−サーキュレータ／ＨＦアイソレータの差込み自在／交換自在機械的ユニットについての本発明の解決により、使用者は、受信機の周波数変更の他に、アンテナ−サーキュレータ／ＨＦアイソレータ・ユニットを交換する必要があるだけである。それにより、現在の操作状態への迅速な且つ複雑でない適合が可能となる。
【００１４】
上記説明は、いわゆる耳内モニタシステムとして例えば、トークショーの通訳や音楽家のために使用されるように、ワイヤレス・マイクロホン・システムで普通のポケット受信機を含めて適用される。この場合、アンテナ−サーキュレータ／ＨＦアイソレータ・ユニットにより相互変調を低減する本発明の解決によって、複数のワイヤレス・システムを同じ周波数範囲で操作することができる。
【００１５】
本発明の特別の利点は、従来より多くの送信機を一周波数帯に収容することができ、周波数変更を極めて容易に実行できると共に、既存のＨＦ送信機、送信装置及びワイヤレス・マイクロホンも容易にレトロフィットすることができることである。
【発明を実施するための最良の形態】
【００１６】
図１及び図２において、サーキュレータ及び／又はＨＦアイソレータがアンテナに配置され、夫々の周波数帯をアンテナの交換によって容易に設定することができる。
【００１７】
本願において、ワイヤレス・マイクロホン・システムが記載されるが、本願は、ワイヤレス・マイクロホン・システムだけに制限されるのではなく、アンテナを有するＨＦ送信機にも基本的に適用される。
【００１８】
アンテナの外部に、サーキュレータ及び／又はサーキュレータユニットの夫々の周波数範囲に関する識別部を設けることが特に好都合である。識別部は、例えば、符号又は色標識から成るので、専門家、この場合、音響技術者は、ワイヤレス・マイクロホンのＨＦ送信機が同調される又は動作している周波数を所定距離から非常に容易に認識することができる。
【００１９】
サーキュレータ又はＨＦアイソレータは、必要な場合に所定の周波数範囲又は周波数進行に同調するために、同調手段を設けることができる。
【図面の簡単な説明】
【００２０】
【図１】アンテナに配置されたサーキュレータ（ＨＦアイソレータ）を有するＨＦ送信機の平面図である。
【図２】アンテナを備えるマイクロホンの図を示す。
【図１】
2006522516.tif 000003
【図２】
2006522516.tif 000004
【国際調査報告】
2006522516.tif 000005
2006522516.tif 000006
2006522516.tif 000007
2006522516.tif 000008